(57)【要約】【目的】給紙棚に載せられた用紙の数量に拘わらず、その用紙を上方から順に一枚ずつ好適に繰り出すことのできる給紙装置を提供する。【構成】用紙を積層状態にして配置するための給紙棚３と、この給紙棚に配置された用紙を上方から順に一枚ずつ繰り出す給紙ローラ４とを具備して成る給紙装置である。給紙棚３は用紙を支持するベースプレート１０と、該ベースプレートの上面に沿って用紙の繰出方向とその逆方向へ往復移動可能に配されるスライドプレート１１とを有し、そのスライドプレート１１はベースプレート１０と用紙に挟まれて用紙の繰出方向にバネ２３で付勢される。又、スライドプレート１１の上面には用紙の上流側端縁を押圧するための段部１１Ａ〜１１Ｃが形成され、ベースプレート１０には用紙の下面と接触して該用紙を繰出方向へ案内するガイドローラ１４が設けられる。【選択図】  図９
2005008351.tif 000002
【特許請求の範囲】
【請求項１】
用紙を積層状態にして配置するための給紙棚と、この給紙棚に配置された用紙を上方から順に一枚ずつ繰り出す給紙ローラとを具備して成る給紙装置おいて、前記給紙棚は用紙を支持するベースプレートと、該ベースプレートの上面に沿って用紙の繰出方向とその逆方向へ往復移動可能に配されるスライドプレートとを有し、そのスライドプレートはベースプレートと用紙に挟まれて用紙の繰出方向にバネ付勢されることを特徴とする給紙装置。
【請求項２】
スライドプレートの上面に用紙の上流側端縁を押圧するための段部が形成されることを特徴とする請求項１記載の給紙装置。
【請求項３】
ベースプレートに用紙の下面と接触するガイドローラが設けられ、そのガイドローラにより用紙が繰出方向へ案内されるようにした請求項１、又は２記載の給紙装置。
【発明の詳細な説明】
【０００１】
【発明の属する技術分野】
本発明は、積層された用紙を上方から一枚ずつ繰り出すための給紙装置に係わり、特に新聞チラシなど複数枚の用紙を丁合する丁合機に適用して、給紙不良やこれに起因する落丁、紙詰まり等の発生を防止することのできる給紙装置に関する。
【０００２】
【従来の技術】
一般に、新聞広告（チラシ）など数種類の用紙を丁合する手段として、従来より様々な丁合機が利用されている。その多くは複数の給紙装置を備え、その各給紙装置から繰り出される用紙を並列状に連ねたローラ群に通して重ね合わせる構成とされる。
【０００３】
ここで、その種の丁合機に用いられる給紙装置は、用紙を積層状態に配置するための給紙棚ほか、その給紙棚に配置された用紙を一枚ずつ繰り出す給紙ローラなどから構成されるが、給紙棚のベース（ベースプレート）上には用紙のサイズや積載量によって配置面積を拡大できるよう補助用の座板（スライドプレート）を設けることがある（例えば、特許文献１参照）。
【０００４】
【特許文献１】
登録実用新案第３０６６１８５号公報（
【０００５】、
【図７】）。
【０００６】
【発明が解決しようとする課題】
然し乍ら、上記従来の給紙装置によれば、その給紙棚がベース上に座板を載せただけの構成であったため、図１０のように下層部の用紙ＰがベースＡより突出された座板Ｂ上に残り、上層部の用紙が繰り出された後で座板Ｂ上に残された用紙に上流側の給紙ローラ（従動ローラＲ１）のみが接触することにより、下流側の給紙ローラ（原動ローラＲ２）への用紙の引き渡しが良好に行われず紙詰まりを発生することがあった。又、紙詰まりを免れた場合でも給紙タイミングが遅れて装置が自動停止し、その復旧に時間を費やして設備稼働率の低下を招き、しかも用紙の有無を検出するセンサが良好に機能していない場合には落丁を発生した。
【０００７】
一方、給紙棚に配置する用紙の枚数が少ない場合などには、給紙棚のベースＡよりも上流側に引き出された座板Ｂが低負荷のために用紙より先に下流側へ移動し、これにより用紙が座板Ｂによる支持を失って落下してしまうことがあった。
【０００８】
本発明は以上のような事情に鑑みて成されたものであり、その目的は給紙棚に載せられた用紙の数量に拘わらず、その用紙を上方から順に一枚ずつ好適に繰り出せるようにすることにある。
【０００９】
【課題を解決するための手段】
本発明は上記目的を達成するため、用紙を積層状態にして配置するための給紙棚と、この給紙棚に配置された用紙を上方から順に一枚ずつ繰り出す給紙ローラとを具備して成る給紙装置おいて、前記給紙棚は用紙を支持するベースプレートと、該ベースプレートの上面に沿って用紙の繰出方向とその逆方向へ往復移動可能に配されるスライドプレートとを有し、そのスライドプレートはベースプレートと用紙に挟まれて用紙の繰出方向にバネ付勢されることを特徴とする給紙装置を提供する。
【００１０】
又、上記のような給紙装置において、スライドプレートの上面に用紙の上流側端縁を押圧するための段部が形成され、しかもベースプレートに用紙の下面と接触するガイドローラが設けられ、そのガイドローラにより用紙が繰出方向へ案内されるようにしたことを特徴とする。
【００１１】
【発明の実施の形態】
以下、本発明について説明すれば、図１は係る給紙装置を備えた丁合機の側面概略図である。図１において、１は丁合機本体であり、この丁合機本体には丁合すべき用紙を繰り出す複数の給紙装置２Ａ，２Ｂ，２Ｃ，・・が設けられる。その各給紙装置は、用紙を積層状態にして配置するための給紙棚３と、この給紙棚に配置された用紙の繰出側にあって該用紙を上方から順に一枚ずつ繰り出す給紙ローラ４とを具備して構成される。このうち、給紙棚３は所定の間隔をあけて多段状に配され、各々その一端を支点として上下に揺動可能に設けられる。
【００１２】
一方、給紙ローラ４は、原動ローラ５と従動ローラ６をキャリヤアーム７で連結して構成される。原動ローラ５は、給紙棚３の下流端に近接するゴム質の摩擦板８上に回転自在にして設けられ、その回転軸に与えられる駆動源の動力が図示せぬベルトを介して従動ローラ６に伝達されることにより、原動ローラ５と従動ローラ６が同調して給紙棚３上の用紙を繰り出す方向に間欠回転するようになっている。又、キャリヤアーム７は、原動ローラ５の回転軸を支点として旋回自在に設けられ、これによってその自由端側に取り付けられる従動ローラ６が原動ローラ５の回転力で給紙棚３上の用紙に押圧されるようになっている。
【００１３】
そして、以上のように構成される丁合機によれば、各給紙装置の給紙棚３に新聞チラシなどの用紙Ｐを積層状態にして種類別に配置した後、給紙ローラ４を回転駆動させて各給紙棚３上の用紙Ｐを原動ローラ５と摩擦板８との間を通して一枚ずつ繰り出し、これを丁合機本体の中央部に配列されるローラ群９に通して下方へ移動させながら寄り合わせて図２に示すような束にすることができる。尚、図２において、外装の用紙Ｐ１は最下部の給紙装置２Ａから供給されたものであり、この用紙Ｐ１は他の用紙Ｐ２を束ね得るよう丁合機本体の内部で二つ折りにされる。
【００１４】
次に、図３は給紙棚を示した斜視図である。図３において、１０は用紙を支持する長方形状のベースプレートであり、その上面には着脱自在なスライドプレート１１が配されると共に、そのスライドプレート１１を挟んで左右一対のガイド板１２が相対向して設けられる。尚、ガイド板１２は用紙のサイズにより相互の間隔を調整可能とされる。
【００１５】
又、ベースプレート１０の上面にはスライドプレート１１の配置箇所を挟んで２つの孔１３が穿設され、その孔１３からガイドローラ１４の外周面の一部が突出するようにしてある。一方、ベースプレート１０の両側面一端部には揺動支点と成すピン１５が突設されると共に、該ベースプレートの両側面中央部にはその長さ方向に沿って長孔１６が形成され、その長孔から可動軸１７の両端が突出するようにしてある。
【００１６】
次に、図４はベースプレートの裏面を示す。この図で明らかなように、可動軸１７はベースプレート１０の裏面にあってその両側に接続するコイルバネ１８によりピン１５側に付勢されている。尚、１９は上記のガイドローラ１４を回転自在にして支持するブラケット、２０はピン１５をその軸方向に移動可能にして支持するブラケットであり、ピン１５の外周にはベースプレート１０の側面とブラケット２０との間でコイルバネ２１が設けられ、そのコイルバネ２１によりピン１５が外側に付勢されるようになっている。又、図４から明らかなように、ベースプレート１０の裏面にはコ字形のアーム部材２２と該アーム部材に接続するバネ２３とが設けられる。アーム部材２２はベースプレート上に配されるスライドプレートの移動案内をするものであり、これはベースプレート１０の裏面に固定される金具２４により該ベースプレートの前後方向に摺動可能に支持されると共に、ベースプレートの後端面にはアーム部材の両側部２２Ａを通す貫通孔１０Ａが穿設される。
【００１７】
一方、バネ２３は巻胴２５に巻かれた帯状の定荷重ゼンマイ（コンストンバネ）であり、その先端はベースプレートの裏面に取り付けた巻胴２５から引き出されてアーム部材の後端部２２Ｂに連結される。
【００１８】
そして、以上のようなベースプレート１０は、ピン１５を支点として丁合機本体に揺動可能に取り付けられ、その傾きを用紙の性状や配置数量によって一定状態に保ち得るようになっている。つまり、丁合機本体には図５のような３つの段差部を形成するカム板２６が相対向して取り付けられ、その各段差部に可動軸１７の両端を係止させ得るようになっている。尚、ベースプレート１０の傾きを変えるには、図４に示したコイルバネ１８の弾力に抗して可動軸１７を手前に引き、その状態のままベースプレート１０を揺動させ、そして所定の位置で可動軸１７を復帰させてその両端をカム板２６の段差部の何れかに係止するのである。このような操作はベースプレート１０の傾きを小さくする場合だけで足り、その傾きを大きくする場合にはベースプレート１０を上方に揺動させるだけで可動軸１７の両端部を各段差部に順次係止することができる。
【００１９】
次に、図６はスライドプレートの平面図であり、図７には図６におけるＸ−Ｘ断面を示す。ここで、スライドプレート１１はプラスチック製であり、その上面には全幅に亙って複数（本例において３つ）の段部１１Ａ，１１Ｂ，１１Ｃが形成される。その各段部１１Ａ〜１１Ｃは高低差が１〜数ミリであり、その何れかには最下層の用紙の上流側端縁が位置付けられてスライドプレート１１と用紙の相対的な摺動を防止するようになっている。又、図７のようにスライドプレート１１の高位側の一端部にはその裏面にＵ字形の溝２７Ａをもつ係止部２７が形成される。
【００２０】
そして、係るスライドプレート１１は、図８のように係止部の溝２７Ａをベースプレート１０より後方へ突出するアーム部材の後端部２２Ｂに引っ掛けた状態でベースプレート１０上に配される。特に、この状態でスライドプレート１１はアーム部材２２による案内によって、ベースプレート１０の上面に沿ってその傾斜方向である用紙の繰出方向とその逆側に往復移動可能とされ、しかもアーム部材２２に接続するバネ２３により用紙の繰出方向（下流側）に付勢される。このため、スライドプレート１１をバネ２３の弾力に抗して後方（上流側）に引き出し、その状態でベースプレート１０上にスライドプレート１１を介して用紙を積層状態に配置することにより、下層部の用紙もスライドプレート１１に乗せて下流側（給紙ローラ側）に移動させることができる。
【００２１】
尚、図８において、２８はアーム部材２２とバネ２３とを連結する接続金具、２９はスライドプレートの上流側の一端部に形成した開口部であり、スライドプレート１１を引き出す際には、その開口部２９に指先を掛けて引出操作を容易に行えるようになっている。
【００２２】
ここで、以上のように構成される給紙装置の作用を説明すれば、図９のように用紙Ｐはベースプレート１０上に積層状態にして配置され、その用紙Ｐとベースプレート１０との間にはスライドプレート１１が介在される。又、用紙Ｐの下面にはその下流側でガイドローラ１４の外周面が接触され、そのガイドローラ１４により用紙Ｐが繰出方向に案内されるようになっている。
【００２３】
特に、スライドプレート１１は上記のようにアーム部材２２に連結された状態のまま、想像線で示す如く上流側に引き出されてバネ２３により下流側に付勢される。これにより、上層部の用紙が給紙ローラ４により順次繰り出されて行くと、スライドプレート１１に作用する荷重が減少してスライドプレート１１が用紙Ｐを乗せたまま徐々に下流側へ移動する。この結果、下層部の用紙も初期位置に停まらず、スライドプレート１１との接触圧及びガイドローラ１４による繰出方向への案内により先端（下流側端縁）が原動ローラ５の下方付近まで移動され、従動ローラ６が表面に接触した時点で確実に繰り出されるようになる。特に、本例によれば、バネ２３にコンストンバネを用いていることから、スライドプレート１１の移動量に拘わらず、これを常時一定の作用力で下流側に引き込んでスライドプレート１１と用紙Ｐを良好に移動させることができる。
【００２４】
但し、紙質などによってはスライドプレート１１と用紙Ｐの間でスリップが発生し、スライドプレート１１が下層部の用紙に先行して下流側へ移動する虞れがある。そこで、用紙Ｐを給紙棚３に配置する場合には、下層部の用紙の上流側端縁とスライドプレートの段部１１Ａ〜１１Ｃの何れか一つの位置を合わせる。これにより、表面が滑らかな用紙でも、その上流側端縁を段部１１Ａ〜１１Ｃの何れかで下流側（用紙の繰出方向）に押圧しながらスライドプレート１１と一緒に確実に移動させることができる。尚、用紙の枚数が多い場合やサイズの大きい用紙では、下層部の上流側端縁がベースプレート１０から大きく突出するので、その上流側端縁の押圧には図９のように上流側の段部１１Ａを使用し、用紙の枚数が少ない場合や小サイズの用紙では下流側の段部１１Ｃを使用する。但し、スライドプレートに形成する段部は一つでも３つ以上でも構わない。
【００２５】
以上、本発明の好適な一例を説明したが、係る給紙装置は上記例に限定されるものでなく、例えばスライドプレートを用紙の繰出方向に付勢するバネとして、引張コイルバネやゴム紐などを用いてもよい。又、上記例のように、アーム部材２２を介してスライドプレート１１にバネ２３の弾力を作用させるのでなく、ベースプレート１０とスライドプレート１１をバネ２３で直結するようにしてもよい。
【００２６】
更に、スライドプレート１１を用紙の繰出方向とその逆方向とに往復移動可能にする案内手段として、アーム部材のようなスライド軸をベースプレートに装置するのでなく、ベースプレートにその前後方向へ延びる凸条、ガイド溝、又はスリットなどを形成する一方、スライドプレートに上記の凸条と係合する溝、又は上記のガイド溝やスリットに係合する凸部を形成するなどしてもよい。
【００２７】
一方、係る給紙装置は丁合機に限らず、プリンタ、コピー機、又はファクシミリなどにも適用可能であることは勿論である。
【００２８】
【発明の効果】
以上の説明で明らかなように、本発明によれば給紙棚がベースプレートと該ベースプレートの上面に沿って用紙の繰出方向とその逆方向へ往復移動可能に配されるスライドプレートとを有し、そのスライドプレートがベースプレートと用紙に挟まれて用紙の繰出方向にバネ付勢されることから、下層部の用紙を初期位置に留めずスライドプレートに乗せて繰出方向へ移動されることができる。これにより、下層部の用紙が初期位置に留まることによる給紙遅れや紙詰まりの発生を防止して装置を停止させることなく全ての用紙を一枚ずつ確実に繰り出すことができる。
【００２９】
又、スライドプレートの上面に用紙の上流側端縁を押圧するための段部が形成されることから、表面が滑らかな用紙でもスライドプレートの単独移動を防止することができる。
【００３０】
更に、ベースプレートに用紙の下面と接触するガイドローラが設けられ、そのガイドローラにより用紙が繰出方向へ案内されるようにしていることから、スライドプレートとの相乗作用により、下層部の用紙が初期位置に留まることを確実に防止できる。
【図面の簡単な説明】
【図１】本発明に係る給紙装置を備えた丁合機の側面概略図
【図２】丁合された用紙の束を示す斜視図
【図３】給紙棚を示す斜視図
【図４】ベースプレートの底面図
【図５】ベースプレートを傾斜状に固定した状態を示す側面図
【図６】スライドプレートの平面図
【図７】図６のＸ−Ｘ断面図
【図８】ベースプレートとスライドプレートをバネで連結した状態を示す部分拡大図
【図９】本願給紙装置の使用状態を示す側面概略図
【図１０】従来装置の側面概略図
【符号の説明】
２Ａ〜２Ｄ  給紙装置
３  給紙棚
４  給紙ローラ
５  原動ローラ
６  従動ローラ
７  キャリヤアーム
８  摩擦板
１０  ベースプレート
１１  スライドプレート
１１Ａ〜１１Ｃ  段部
１４  ガイドローラ
２２  アーム部材
２３  バネ
２５  巻胴
２７  係止部
【図１】
2005008351.tif 000003
【図２】
2005008351.tif 000004
【図３】
2005008351.tif 000005
【図４】
2005008351.tif 000006
【図５】
2005008351.tif 000007
【図６】
2005008351.tif 000008
【図７】
2005008351.tif 000009
【図８】
2005008351.tif 000010
【図９】
2005008351.tif 000011
【図１０】
2005008351.tif 000012